(57)【特許請求の範囲】
【請求項１】
シリンダとフロントヘッドとの内径面を適正位置に合わせて固定するロータリ圧縮機の組立て方法において、
前記シリンダの内径面の最小クリアランス方向をエアーマイクロ１の測定面に押し付けて前記シリンダをシリンダ固定治具に固定し、
前記シリンダ固定治具は、前記最小クリアランス方向に切り開かれているクランプ受け座を有し、前記シリンダは前記クランプ受け座に押し付けられて固定され、
前記フロントヘッドの内径面をエアーマイクロ２に押し付けてヘッド固定治具に固定し、
前記エアーマイクロ１と前記エアーマイクロ２により、前記シリンダの前記測定面と前記フロントヘッドの内径面とを測定した結果に基づいて、前記シリンダ固定治具に対して前記ヘッド固定治具の位置を調整することにより、前記シリンダ固定治具に固定された前記シリンダと、前記ヘッド固定治具に固定された前記フロントヘッドの位置を調整することを特徴とするロータリ圧縮機の組立て方法。
【請求項２】
前記エアーマイクロ１は、前記シリンダ内径面の最小クリアランス方向と共に、低圧室側隙間、高圧室側隙間が測定可能となっていることを特徴とする請求項１に記載のロータリ圧縮機の組立て方法。
【請求項３】
前記ヘッド固定治具は、前記フロントヘッドを最小クリアランス方向で外径部をＶ字に挟み込み、反対方向からプレートで押し付けて固定することを特徴とする請求項１または２に記載のロータリ圧縮機の組立て方法。
【請求項４】
前記ヘッド固定治具は、最小クリアランス方向へ摺動可能とされ、前記フロントヘッドの内径面が前記エアーマイクロ２へ押し付けられて固定されることを特徴とする請求項１から３のいずれか１項に記載のロータリ圧縮機の組立て方法。
【請求項５】
前記エアーマイクロ２は、前記フロントヘッド内径面の最小クリアランス方向と共に、低圧室側隙間、高圧室側隙間が測定可能となっていることを特徴とする請求項１から４のいずれか１項に記載のロータリ圧縮機の組立て方法。
【請求項６】
前記ヘッド固定治具は、前記シリンダ固定治具に対し位置調整が可能な機構であり、予め調芯適正位置に対し最小クリアランスが小さくなるよう固定されることを特徴とする請求項１から５のいずれか１項に記載のロータリ圧縮機の組立て方法。
【請求項７】
シリンダとフロントヘッドとを個別に固定し、それぞれの内径面を適正位置に合わせて固定するロータリ圧縮機の組立て治具であって、
前記シリンダの内径面を測定するエアーマイクロ１と、
前記フロントヘッドの内径面を測定するエアーマイクロ２と、
前記シリンダの内径面の最小クリアランス方向をエアーマイクロ１の測定面に押し付けて前記シリンダを固定するシリンダ固定治具と、
前記フロントヘッドを最小クリアランス方向で外径部をＶ字に挟み込み、反対方向からプレートで押し付けて固定するクランプと、
前記クランプをクロスローラガイド機構により最小クリアランス方向に摺動可能とし、前記フロントヘッドの内径面を前記エアーマイクロ２に押し付けて固定するヘッド固定治具と、
を備えたことを特徴とするロータリ圧縮機の組立て治具。
【請求項８】
最小クリアランス方向に切り開かれ、前記エアーマイクロ１より外径部側にやや突出したクランプ受け座を備えたことを特徴とする請求項７に記載のロータリ圧縮機の組立て治具。
【発明の詳細な説明】
【技術分野】
【０００１】
本発明は、圧縮機部品等の組立てにおいて、仮組した状態で二つの部品間寸法が適正寸法となるようにする組立て方法及びロータリ圧縮機の組立て方法並びにそれに用いられる治具に関し、特にロータリ圧縮機のシリンダとフロントヘッドの組立てに好適である。
【背景技術】
【０００２】
空気調和機に使用されている圧縮機としてはレシプロ、ロータリ、スクロール型のものが知られているが、いずれもシリンダ内でピストンを回転することで冷媒の吸入と圧縮を行っている。ロータリコンブレッサではモータが回転することで、シャフトが回転し、シリンダ内のピストンが偏心回転する。それに伴って、シリンダ内に形成された圧縮室の容積を変化させてその内部の冷媒を圧縮する。したがって、ロータリ圧縮機では、圧縮室が構成されるシリンダとシリンダ内でピストンを回転させる駆動軸（シャフト）との中心が高精度に一致する必要があり、性能に大きく影響する。
【０００３】
つまり、シリンダ内において、ピストンとシリンダとの隙間を大きくし過ぎると、この隙間を介した冷媒の漏れ量が増大し、圧縮効率が低下してしまう。しかし、逆にピストンとシリンダとの隙間を小さくし過ぎると、各部の変形（ボルト締結による変形、圧縮動作中の熱膨張、圧縮動作中の圧力変形等）によって、ピストンとシリンダとの隙間が無くなって摺動抵抗が増大し、その結果、ピストンの損傷を引き起こしてしまう。そのため、ピストンとシリンダとの隙間を適正な大きさにしなければならず、組立時に隙間の調整管理、調芯が必要とされていた。
【０００４】
従来、駆動軸の軸心に対してシリンダ孔の軸心を変位させ、圧縮側に相当するシリンダ孔の内壁と駆動軸のピストン部との間の間隙を狭小とするとともに、吸入側に相当するシリンダ孔とピストンの間隙を拡大するように駆動軸に対してシリンダ孔の軸心を偏移することが行われている。また、駆動軸であるクランク軸の上偏芯部、下偏芯部にそれぞれピストンを嵌入し、主軸部、副軸部の外周面に対し、それぞれの偏芯部に嵌入されたピストンの最大外円寸法をそれぞれ上偏芯部、下偏芯部共に測定し、ピストンの最大外円寸法データに基づき、主軸受と第１シリンダを調芯して固定ボルトにて締結することが知られ、特許文献１に記載されている。
【０００５】
さらに、特許文献１には、複数のシリンダを有するロータリ圧縮機において、シリンダが最初に取り付けられる側の軸受けの外側壁を基準にして軸中心関係の設定を行い、この基準とした軸受側のシリンダから順次軸受けに組み込むことが記載されている。
【０００６】
さらに、特許文献２には、単純かつ高速・高精度で組立が出来、周辺環境への影響が少ないロータリ圧縮機の軸受同軸組立方法を得るため、主軸受と副軸受で駆動軸を支持し、
主軸受をシリンダにボルトで固定し、副軸受をシリンダにボルトが緩んだ状態で仮締めし、副軸受をクランプした後、シャフトの偏芯方向とは逆方向に副軸受を揺動させて調芯することが記載されている。
【先行技術文献】
【特許文献】
【０００７】
【特許文献１】特開昭６１−７６７９０号公報
【特許文献２】特開２０１０−２８１２１９号公報
【発明の概要】
【発明が解決しようとする課題】
【０００８】
上記従来技術においては、いずれもワークである二つの部品を治具により各々個別に固定し、部品間寸法に基づいて片方の移動方向を決めて調芯するように移動する。そして、移動により変動する測定値を監視しながら、組み立てる他の部品寸法情報を加味して適正位置まで移動してボルトで固定している。つまり、いずれもシリンダが取り付けられる側の軸受けの外側壁を固定して基準として軸中心関係の設定を行っている。
【０００９】
したがって、固定する部位である外側壁と部品間寸法を測定する部位である軸受け内壁とにおいて製作公差範囲内で製品毎に寸法バラツキがあり、また両者間の幾何公差(同芯度)も同様にバラツキがあり、部品間寸法を測定する部位である軸受け内壁の位置が外側壁の固定時に一定とはならない。また、固定治具の摩耗により、部品間寸法を測定する部位の位置が経年的に変化する。
【００１０】
また、一般に調芯のための移動において、移動量が大きい場合、移動速度を速くし、適正位置に近くなった時点で減速して適正位置に停止させる必要がある。したがって、測定をする器具と移動する器具との応答遅れが存在し、適正位置まで移動するのに行き過ぎて戻るという恐れがある。
【００１１】
さらに、移動する器具については、駆動、摺動系にバックラッシュがあり、行き過ぎて戻る挙動の場合、バックラッシュにより、駆動系は動いているが器具は動いていないことがある。このため、調芯に時間を要し、適正位置に停止させる調芯精度にも影響を及ぼしている。
【００１２】
本発明の目的は、上記従来技術の課題を解決し、ワークである二つの部品を調芯前の部品固定時に部品間寸法が一定となるように、かつ部品間寸法が調芯後の適正寸法に近い位置になるようにし、両者間の幾何公差(同芯度)、固定治具の摩耗の影響を無くし、調芯時間を短く、調芯精度を向上させることにある。
【００１３】
また、他の目的は、ロータリ圧縮機のシリンダとフロントヘッドの位置を両者間の幾何公差(同芯度)、固定治具の摩耗の影響を無くして適正位置に合わせ、圧縮機としての性能向上及び性能の安定性を高めることにある。
【課題を解決するための手段】
【００１４】
上記目的を達成するため本発明は、部品１と部品２との内径面を適正位置に合わせて固定する部品の調芯組立て方法において、前記部品１の内径面の所定位置を測定面とし、前記測定面を測定治具１に押し付けて前記部品１を固定治具１で固定し、前記部品２は外径部をクランプしてクランプした方向に摺動可能とし、前記部品２の内径面を測定治具２に押し付けて固定治具２で固定し、前記測定治具１と前記測定治具２により、前記部品１の測定面から前記部品２の内径面までを測定した結果に基づいて、前記固定治具２に対して前記固定治具１の位置を調整するものである。
測定治具１と測定治具２により部品１の測定面から部品２の内径面までを測定する方法は、エアーマイクロを用いる方法が好ましいがこれに限定されるものではなく、触針を用いて機械的に測定治具１，測定治具２と測定面、内径面までの隙間を測定する方法を採用することもできるし、レーザ等の光を用いて測定する方法、その他、一般に隙間を測定するのに用いられる方法を採用することができる。
【００１５】
また、本発明は、シリンダとフロントヘッドとの内径面を適正位置に合わせて固定するロータリ圧縮機の組立て方法において、前記シリンダの内径面の最小クリアランス方向をエアーマイクロ１で測定面としてシリンダ固定治具に押し付けて前記シリンダを固定し、前記フロントヘッドの内径面をエアーマイクロ２に押し付けてヘッド固定治具で固定し、前記エアーマイクロ１と前記エアーマイクロ２により、前記シリンダの前記測定面と前記フロントヘッドの内径面とを測定した結果に基づいて、前記シリンダ固定治具に対して前記ヘッド固定治具の位置を調整するものである。
エアーマイクロ１とエアーマイクロ２により、測定面の隙間とフロントヘッド内径面の隙間を測定することにより、測定面とフロントヘッド内径面との距離、位置関係が分かることになる。これらの距離、位置関係は、シリンダとフロントヘッドの位置を調整しながら測定することができるので、最適な位置関係に容易に調整することができる。
【００１６】
また、上記のロータリ圧縮機の組立て方法において、前記シリンダ固定治具は、外径部側が前記シリンダの内径面に沿った曲率で前記最小クリアランス方向に切り開かれているクランプ受け座を有し、前記シリンダは前記クランプ受け座に押し付けられて固定されることが望ましい。
【００１７】
さらに、上記のロータリ圧縮機の組立て方法において、前記エアーマイクロ１は、前記シリンダ内径面の最小クリアランス方向と共に、低圧室側隙間、高圧室側隙間が測定可能となっていることが望ましい。
【００１８】
さらに、上記のロータリ圧縮機の組立て方法において、前記ヘッド固定治具は、前記フロントヘッドを最小クリアランス方向で外径部をＶ字に挟み込み、反対方向からプレートで押し付けて固定することが望ましい。
【００１９】
さらに、上記のロータリ圧縮機の組立て方法において、前記ヘッド固定治具は、最小クリアランス方向へ摺動可能とされ、前記フロントヘッドの内径面が前記エアーマイクロ２へ押し付けられて固定されることが望ましい。
【００２０】
さらに、上記のロータリ圧縮機の組立て方法において、前記エアーマイクロ２は、前記フロントヘッド内径面の最小クリアランス方向と共に、低圧室側隙間、高圧室側隙間が測定可能となっていることが望ましい。
【００２１】
さらに、上記のロータリ圧縮機の組立て方法において、前記シリンダ固定治具は、前記ヘッド固定治具に対し位置調整が可能な機構であり、予め調芯適正位置に対し最小クリアランスが小さくなるよう固定されることが望ましい。
【００２２】
また、本発明は、シリンダとフロントヘッドとを個別に固定し、それぞれの内径面を適正位置に合わせて固定するロータリ圧縮機の組立て治具であって、前記シリンダの内径面を測定するエアーマイクロ１と、前記フロントヘッドの内径面を測定するエアーマイクロ２と、前記シリンダの内径面の最小クリアランス方向をエアーマイクロ１の測定面に押し付けて前記シリンダを固定するシリンダ固定治具と、前記フロントヘッドを最小クリアランス方向で外径部をＶ字に挟み込み、反対方向からプレートで押し付けて固定するクランプと、前記クランプをクロスローラガイド機構により最小クリアランス方向に摺動可能とし、前記フロントヘッドの内径面を前記エアーマイクロ２に押し付けて固定するヘッド固定治具と、を備えたものである。
【００２３】
さらに、上記のロータリ圧縮機の組立て治具において、外径部側が前記シリンダの内径面に沿った曲率で最小クリアランス方向に切り開かれ、前記エアーマイクロ１より外径部側にやや突出したクランプ受け座を備えたことが望ましい。
【発明の効果】
【００２４】
本発明によれば、部品１の測定面を測定治具１へ押し付けて固定治具１に固定し、部品２はクランプした方向に摺動可能として内径面を測定治具２に押し付け、測定治具１と測定治具２により、部品１の測定面から部品２の内径面までを測定して、固定治具１の位置を調整する。これにより、二つの部品は、部品間寸法である部品１の測定面から部品２の内径面までが確実に測定されかつ、部品の公差、例えば部品２の外径部と内径面の同芯度、外径部の大小に影響されず適性位置に合わせることができる。
【００２５】
特に、シリンダとフロントヘッドとの内径面を適正位置に合わせて固定するロータリ圧縮機の組立て方法において、シリンダの内径面の最小クリアランス方向をエアーマイクロ１の測定面としてシリンダ固定治具に押し付けて固定し、フロントヘッドの内径面をエアーマイクロ２に押し付けてヘッド固定治具で固定し、エアーマイクロ１とエアーマイクロ２により、シリンダの測定面からフロントヘッドの内径面までを測定して、ヘッド固定治具に対してシリンダ固定治具の位置を調整する。これにより、シリンダとフロントヘッドは、部品間寸法であるシリンダの測定面からフロントヘッドの内径面までが確実に測定されかつ、部品の公差、例えばフロントヘッドの外径部と内径面の同芯度、外径部の大小に影響されず適性位置に合わせることができる。
【００２６】
以上により、二つの部品、例えば、ロータリ圧縮機のシリンダとフロントヘッドの位置を両者間の幾何公差(同芯度)、固定治具の摩耗の影響を無くして適正位置に合わせることができる。
【図面の簡単な説明】
【００２７】
【図１】本発明の実施形態に係わるロータリ圧縮機の縦断面図
【図２】図１のII−II断面の一部拡大図
【図３】一実施形態における駆動軸、ピストン、シリンダ、フロントヘッドを組み立てた関係を示す縦断面図及び一部拡大断面図
【図４】一実施形態において、シリンダの内径面にエアーマイクロを設置した状態を示す縦断面図及び一部拡大断面図
【図５】一実施形態における駆動軸＋ピストン本体の寸法の算出を示す説明図
【図６】一実施形態におけるシリンダの固定方法を示す一部拡大断面図
【図７】一実施形態におけるヘッド固定治具を示す平面図
【図８】一実施形態におけるシリンダ、フロントヘッドをそれぞれの固定治具で固定した後に組み合わせた状態を示す縦断面図
【図９】一実施形態におけるシリンダ固定治具の組み立てた状態を示す斜視図
【図１０】シリンダ固定治具６０の分解した状態を示す斜視図
【発明を実施するための形態】
【００２８】
以下に、本発明の実施形態について図面を参照して詳細に説明する。
図１はロータリ圧縮機の縦断面図、図２は図１のII−II断面の一部拡大図であり、ロータリ圧縮機１は、冷媒が循環して冷凍サイクルを行う冷媒回路（図示省略）に接続され、冷媒を圧縮するものである。図１に示すように、ロータリ圧縮機1は、ケーシング１０と、該ケーシング１０内に収納された圧縮機構３０と電動機２０とを備えている。ロータリ圧縮機１は、圧縮機構３０において圧縮された冷媒がケーシング１０の内部空間Ｓ１に吐出され、内部空間Ｓ１が高圧となる所謂高圧ドーム型に構成されている。
【００２９】
ケーシング１０は、上下方向に延びる円筒状の胴部１１と、該胴部１１の上端を閉塞する上部鏡板１２と、該胴部１１の下端を閉塞する下部鏡板１３とを備えている。胴部１１の下部には、吸入管１４が設けられ、上部鏡板１２には、吐出管１５と電動機２０へ電力を供給するターミナル１６とが設けられている。また、下部鏡板１３の内部には、圧縮機構３０の各摺動部を潤滑するための油が貯留された油溜まり部１７が形成されている。
【００３０】
電動機２０は、ケーシング１０内において、胴部１１の上部に配置されている。電動機２０は、胴部１１内に固定されたステータ２１と、そのステータ２１の内側に配置されたロータ２２とを備えている。圧縮機構３０は、ケーシング１０内において、電動機２０の下方に配置されている。圧縮機構３０は、駆動軸３１、シリンダ３２、フロントヘッド３３、リアヘッド３４、及びピストン３５を備えている。
【００３１】
駆動軸３１は、上下方向に延びるように配置されている。駆動軸３１の上部は、電動機２０のロータ２２に連結されている。一方、駆動軸３１の下部は、上から下に向かって順に、主軸部３１ａと偏心部３１ｂと副軸部３１ｃとを有している。偏心部３１ｂは、駆動軸３１の軸心に対して偏心しており、主軸部３１ａ及び副軸部３１ｃよりも大径に形成されている。
【００３２】
シリンダ３２は、略円筒状に形成され、その軸が上下方向に延びるように配置されている。このシリンダ３２には、駆動軸３１の偏心部３１ｂが挿入されている。フロントヘッド３３は、シリンダ３２の上端にボルト５２で締結されている。フロントヘッド３３には、駆動軸３１の主軸部３１ａを回転自在に支持する円筒状の主軸受部３３ａが形成されている。このフロントヘッド３３は、シリンダ３２とピストン３５との間に形成される圧縮室４０の上端を閉塞する。
【００３３】
ピストン３５は、シリンダ３２内に配置され、ピストン３５は、ピストン本体３５ａとブレード３５ｂとを有している。ピストン本体３５ａは、略円筒状に形成され、内部に駆動軸３１の偏心部３１ｂが摺動可能に嵌め込まれている。このピストン本体３５ａは、駆動軸３１が回転することによって偏心回転する。
【００３４】
ブレード３５ｂは、ピストン本体３５ａに一体に形成され、ピストン本体３５ａの外周面から径方向外方へ突出している。このブレード３５ｂは、シリンダ３２の内周面から径方向外方へ延びるブッシュ溝４１に設けられた一対の揺動ブッシュ４２ａ、４２ｂに挟み込まれており、圧縮室４０を低圧室４０ａと高圧室４０ｂとに区画している。
【００３５】
また、シリンダ３２には、吸入通路４３が形成されている。吸入通路４３は、シリンダ３２の内周面と外周面との間に貫通形成されており、その外周端（流入端）が吸入管１４に接続され、その内周端（流出端）が低圧室４０ａに開口している。
【００３６】
また、シリンダ３２には、吐出ポート４４が形成されている。吐出ポート４４は、高圧室４０ｂに開口し、さらに、ケーシング１０の内部空間Ｓ１に開口するフロントヘッド３３内の吐出通路（図示省略）に連通している。フロントヘッド３３には、この吐出通路を開閉するための吐出弁（図示省略）が設けられている。
【００３７】
調芯の概要を説明する。図３は、駆動軸３１、ピストン本体３５ａ、シリンダ３２、フロントヘッド３３の組み立てた関係を示す縦断面図及び一部拡大断面図であり、ピストン本体３５ａと駆動軸３１とは偏芯しているので、まず、駆動軸３１＋ピストン本体３５ａの寸法を算出する。次に、シリンダ３２とフロントヘッド３３を組合せた状態でエアーマイクロ６２、６３（図４参照）に挿入する。そして、調芯を必要とするシリンダ３２とフロントヘッド３３との部品間寸法を測定する位相と固定する方向を図３のように所定の位相にする。
【００３８】
図４は、シリンダ３２の内径面にエアーマイクロ６２、６３を設置した状態を示す縦断面図及び一部拡大断面図であり、エアーマイクロ６２、６３は、最小クリアランスＣＰ、低圧室側隙間ＢＬ２、高圧室側隙間ＢＬ１の各測定面に対向して測定ノズルが設けられ、定圧装置から空気流を供給して測定面との間のすきまの微少変化による抵抗を空気の圧力、流量または流速の変化としてとらえて寸法を測定する。
【００３９】
次に、シリンダ３２の内径面にエアーマイクロ６２、６３設置し、部品間寸法として最小クリアランスＣＰ、低圧室側隙間ＢＬ２、高圧室側隙間ＢＬ１を図４のように測定する。調芯テーブルとして例えば、フロントヘッド３３側を移動させ、最小クリアランスＣＰ、低圧室側隙間ＢＬ２、高圧室側隙間ＢＬ１が適正位置となるように調芯する。調芯が完了後、シリンダ３２とフロントヘッド３３をボルト５２で締め付けて固定する。
【００４０】
フロントヘッド３３側を移動するとき、単に、外径部でクランプすると、フロントヘッド３３の内外径公差違い、同芯度違い、治具摩耗などにより、シリンダ３２、フロントヘッド３３の両方をクランプした時、ワークの測定部位の位置がずれる。したがって、最小クリアランスＣＰ、低圧室側隙間ＢＬ２、高圧室側隙間ＢＬ１の各測定値にバラツキが発生し、調芯移動量もバラツキとなる。
【００４１】
図５は、駆動軸３１＋ピストン本体３５ａの寸法の算出を示す説明図であり、駆動軸３１、ピストンブレード３５ｂを個別に測定したのでは、個々の測定時と駆動軸３１が実際に回転した状態で誤差を生じるので、シリンダ３２とフロントヘッド３３を組合せた状態で測定する。つまり、駆動軸３１を回転させてピストンブレード３５ｂが最左、中間、最右となるようにピストン位相を変更して駆動軸３１＋ピストン本体３５ａの寸法を測定する。
【００４２】
図６はシリンダ３２の固定方法を示す一部拡大断面図であり、シリンダ３２の内径面をシリンダ固定治具６０（図１０参照）に押し付けて固定する。図９はシリンダ固定治具６０の組み立てた状態を示す斜視図、図１０はシリンダ固定治具６０の分解した状態を示す斜視図である。シリンダ固定治具６０は、下台６４にシリンダ３２の内径面を測定するエアーマイクロ６２、フロントヘッド３３の内径面を測定するエアーマイクロ６３（図１０参照）が一体に形成されている。上台６６には、エアーマイクロ６２より外径側にやや突出してクランプ受け座６１が設けられている。
【００４３】
エアーマイクロ６２は、シリンダ３２の内径面で最小クリアランスＣＰ、低圧室側隙間ＢＬ２、高圧室側隙間ＢＬ１の測定面の寸法が測定できれば良く、それぞれに対応した位置にノズルが設けられ、内径面までの距離が測定される。同様に、エアーマイクロ６３は、フロントヘッド３３の内径面までの距離が測定できるようにノズルが設けられる。なお、エアーマイクロ６２、エアーマイクロ６３として説明しているが、図１０のように複合化すれば良い。
【００４４】
図６に示すようにエアーマイクロ６２は、図のように最小クリアランスＣＰ方向に切り欠きが設けられ、切り欠きにクランプ受け座６１が上台６６（図１０参照）に設置されている。クランプ受け座６１は、外径部側がシリンダ３２の内径面に沿った曲率で最小クリアランスＣＰ方向に切り開かれている。これにより、シリンダ３２の最小クリアランスＣＰ方向の寸法変化をエアーマイクロ６２によって測定可能となっている。
【００４５】
また、クランプ受け座６１の半径方向の外周面は、エアーマイクロ６２の外周面に対して最小クリアランスＣＰの値に近く、やや小さい値となるように突き出している。これにより、シリンダ３２を適正位置に近づけることになるので、位置調整のための移動量を最小となるように設定でき、移動機構の移動誤差を少なくし精度向上を図ることができる。さらに、移動機構の移動方向も常に同一方向とすることが可能となり、移動機構のバックラッシュ等を避けて、より一層の精度向上を図ることができる。
【００４６】
そして、シリンダ３２はシリンダークランプ（図示せず：矢印のみ）によって測定面である最小クリアランスＣＰ方向にクランプ受け座６１へ押し付けられて固定される。したがって、シリンダ３２の最小クリアランスＣＰの測定面の位置は、シリンダ３２の内径及び外径の大小に関わらず一定となる。
【００４７】
エアーマイクロ６２は、測定ポイントとして、最小クリアランスＣＰ測定面以外に、低圧室側隙間ＢＬ２の測定面、高圧室側隙間ＢＬ１の測定面に対向したノズルを有している。低圧室側隙間ＢＬ２の測定面、高圧室側隙間ＢＬ１の測定面の位置は、シリンダ３２の内径の大小によって、均等に変化する。
【００４８】
図７は、フロントヘッド３３を固定するヘッド固定治具７０を示す平面図であり、図で右側の最小クリアランスＣＰ方向は外径部をＶ字部で挟み込み、１８０度反対方向となる左側からクランプ用シリンダ７４によりプレート７５で押し付けてクランプ７１に固定される。フロントヘッド゛３３を固定する右側のＶ形状の治具は倣い機構を備えており、固定時は治具のＶ形状の２点、左側１点の３点にて両側より完全に固定される。
【００４９】
クランプ７１全体は、クロスローラガイド７２により最小クリアランスＣＰ方向と同一であるクランプ方向に摺動可能とされ、フロントヘッド３３の内径面がエアーマイクロ６３に引張りバネ７３によって押し付けられて固定される。したがって、フロントヘッド３３の最小クリアランスＣＰの測定面の位置は、シリンダ３２が押し付けられた位置に対して１８０度反対となる。また、フロントヘッド３３はシリンダークランプ（図示せず：矢印のみ）によって測定面である最小クリアランスＣＰ方向に押し付けられて固定され、フロントヘッド３３の内径及び外径の大小、クランプされている外径部と測定される内径面、つまり実際に摺動する部分との同芯度の違いに関わらず一定となる。
【００５０】
上記により、シリンダ３２、フロントヘッド３３を固定する時にはそれぞれの測定する面に治具を押し付け固定しているため、従来の問題であった部品の製作公差違い、及びクランプする面と測定する面との幾何公差違い、そしてクランプする治具の摩耗により発生する部品間寸法のバラツキは生じない。
【００５１】
また、フロントヘッド３３を固定する治具は、シリンダ３２を固定する治具に対し位置調整が可能な機構にし、予め調芯適正位置に対し近い位置で且つ最小クリアランスＣＰが小さくなるよう位置調整を行って固定しておく。これにより、調芯前の固定時に、すでに部品間寸法が適正な位置近くに設定され、調芯のために移動させる量を小さくして移動機構の送り量の大きさによって大きくなる誤差、位置精度を向上できる。
【００５２】
さらに、最小クリアランスＣＰが小さくなるよう位置調整を行うことで、調芯する移動方向が一定となり、移動機構の移動方向の違いにより発生する移動量の差異、バックラッシュの影響を避けることができる。
【００５３】
図８は、シリンダ３２、フロントヘッド３３、それぞれの固定治具で固定した後に組み合わせた状態を示す縦断面図であり、この状態で適正位置までの移動量を算出し、移動機構を数値制御装置により適正位置に移動する。移動後、エアーマイクロ６２、６３にて最小クリアランスＣＰ、低圧室側隙間ＢＬ２、高圧室側隙間ＢＬ１を確認し、シリンダ３２とフロントヘッド３３をボルト５２で締結して固定する。
【００５４】
以上によれば、圧縮機としての性能向上及び性能の安定性に大きく影響するシリンダ３２、フロントヘッド３３との部品間寸法である最小クリアランスＣＰ、低圧室側隙間ＢＬ２、高圧室側隙間ＢＬ１の寸法を、部品ごとの寸法バラツキ、幾何公差(同芯度)の違いなどに関わらず、最終的にシリンダ３２、フロントヘッド３３を固定することで一定値とすることができる。また、フロントヘッド３３を固定するヘッド固定治具７０の磨耗の影響も避けることができる。
【００５５】
クランプ受け座６１を設けることにより、予めシリンダ３２を適正位置に近づけることができ、位置調整のための移動量を最小とし、移動機構の精度向上を図ることができ、移動機構の移動方向も常に同一方向とし、バックラッシュ等を避けて、より一層の精度向上を図ることができる。
【符号の説明】
【００５６】
１…ロータリ圧縮機、１０…ケーシング、１１…胴部、１２…上部鏡板、１３…下部鏡板、１４…吸入管、１５…吐出管、１６…ターミナル、１７…油溜まり部、２１…ステータ、２０…電動機、２２…ロータ、３０…圧縮機構、３１…駆動軸、３１ａ…主軸部、３１ｂ…偏心部、３１ｃ…副軸部、３２…シリンダ、３３…フロントヘッド、３３ａ…主軸受部、３４…リアヘッド、３５…ピストン、３５ａ…ピストン本体、３５ｂ…ブレード、４０…圧縮室、４０ａ…低圧室、４０ｂ…高圧室、４１…ブッシュ溝、４２ａ、４２ｂ…揺動ブッシュ、４３…吸入通路、４４…吐出ポート、５２…ボルト、ＣＰ…最小クリアランス、ＢＬ２…低圧室側隙間、ＢＬ１…高圧室側隙間、６０…シリンダ固定治具、６１…クランプ受け座、６２、６３…エアーマイクロ、６４…下台、６５…中台、６６…上台、７０…ヘッド固定治具、７１…クランプ、７２…クロスローラガイド、７３…引張りバネ、７４…クランプ用シリンダ、７５…プレート
【図１】
0006739961.tif 000002
【図２】
0006739961.tif 000003
【図３】
0006739961.tif 000004
【図４】
0006739961.tif 000005
【図５】
0006739961.tif 000006
【図６】
0006739961.tif 000007
【図７】
0006739961.tif 000008
【図８】
0006739961.tif 000009
【図９】
0006739961.tif 000010
【図１０】
0006739961.tif 000011